(57)【要約】      （修正有）【課題】既設の位置スイッチの設置位置に関らず任意の位置に取り付けることができるとともに、その種類を削減することができるエレベータの位置検出装置を得る。【解決手段】昇降路の終端階の固定体に設けられた位置スイッチケース７と、この位置スイッチケースに設けられ、エレベータのかごに設けられたカム３に係合してかごの位置を検出する第１位置スイッチと、位置スイッチケースに設けられた取付用ケースと、この取付用ケースに設けられ、第１位置スイッチの一側に隣接して配置されるとともに、カムに係合してかごの位置を検出する第２位置スイッチとを備え、第２位置スイッチの係合子の位置を水平方向に調整自在とし、カムの位置に合わせて第２位置スイッチの係合子の位置を調整することができるように構成する。【選択図】図２
2007131363.tif 000002
【特許請求の範囲】
【請求項１】
昇降路の終端階の固定体に設けられた位置スイッチケースと、
この位置スイッチケースに設けられ、エレベータのかごに設けられたカムに係合して前記かごの位置を検出する第１位置スイッチと、
前記位置スイッチケースに設けられた取付用ケースと、
この取付用ケースに設けられ、前記第１位置スイッチの一側に隣接して配置されるとともに、前記カムに係合して前記かごの位置を検出する第２位置スイッチと、
を備え、
前記第２位置スイッチは、前記カムに係合する係合子の位置が水平方向に調整自在であることを特徴とするエレベータの位置検出装置。
【請求項２】
昇降路の終端階の固定体に設けられた位置スイッチケースと、
この位置スイッチケースに設けられ、エレベータのかごに設けられた第１カムに係合して前記かごの位置を検出する第１位置スイッチと、
前記第１カムに隣接して設けられた第２カムと、
前記位置スイッチケースに設けられた取付用ケースと、
この取付用ケースに設けられ、前記第１位置スイッチの一側に隣接して配置されるとともに、前記第２カムに係合して前記かごの位置を検出する第２位置スイッチと、
を備えたことを特徴とするエレベータの位置検出装置。
【請求項３】
第２位置スイッチは、第２カムに係合する係合子の位置が、水平方向に調整自在であることを特徴とする請求項２に記載のエレベータの位置検出装置。
【請求項４】
第２位置スイッチは、その一部が、第１位置スイッチと同じ高さに配置されたことを特徴とする請求項１から請求項３の何れかに記載のエレベータの位置検出装置。
【請求項５】
エレベータの保守点検時に、昇降路終端階に予め設けられた位置スイッチケースに取付用ケースを取り付けるステップと、
前記位置スイッチケースに予め設けられた第１位置スイッチの一側に隣接するように、前記取付用ケースに第２位置スイッチを取り付けるステップと、
前記第２位置スイッチの係合子が前記第１位置スイッチに係合するカムに係合するように、前記第２位置スイッチの係合子を支持する軸を伸縮させて前記第２位置スイッチの係合子の位置を水平方向に調整するステップと、
を備えたことを特徴とするエレベータの位置検出装置の取付方法。
【請求項６】
エレベータの保守点検時に、昇降路の終端階に予め設けられた位置スイッチケースに取付用ケースを取り付けるステップと、
前記位置スイッチケースに予め設けられた第１位置スイッチの一側に隣接するように、前記取付用ケースに第２位置スイッチを取り付けるステップと、
前記第２位置スイッチの係合子に係合するように、前記第１位置スイッチに係合する既設の第１カムに第２カムを取り付けるステップと、
を備えたことを特徴とするエレベータの位置検出装置の取付方法。
【請求項７】
エレベータの保守点検終了後、取付用ケースと第２位置スイッチとを位置スイッチケースから取り外すステップを備えたことを特徴とする請求項５及び請求項６に記載のエレベータの位置検出装置の取付方法。
【発明の詳細な説明】
【技術分野】
【０００１】
この発明は、エレベータ昇降路内を昇降するかごの位置を検出する位置検出装置及びその取付方法に関するものである。
【背景技術】
【０００２】
エレベータ装置には、昇降路内を昇降するかごの位置を検出する位置検出装置として、昇降路の上下終端階に、かごの行き過ぎを防止する位置スイッチが設けられている。そして、昇降路の上下終端階に設けられたこのような位置スイッチは、かごの昇降速度を段階的に減少させる等の目的のため、かごの昇降方向に沿って一直線状に複数設置されている（例えば、特許文献１参照）。
【０００３】
【特許文献１】特開平２００４−２８４７５５号公報
【発明の開示】
【発明が解決しようとする課題】
【０００４】
エレベータ装置では、その保守点検時に、手動運転に切り換えられるとともに、保守点検の必要な所定の位置にかごが停止されて作業が行われている。このようなかごの停止位置は、エレベータのかごの寸法、昇降路内の各機器類のレイアウト、工事の仕様等によって各エレベータ装置ごと、及び、各工事の仕様ごとに設定されるものであるため、エレベータの保守作業員は、そのエレベータ装置、工事の仕様等に応じて、かごの行き過ぎを防止するための保守用位置スイッチを適切な高さに取り付ける必要があった。しかし、従来の位置スイッチでは、その取付位置に応じて複数の製品展開が必要となり、多品種化するとともに、生産性及び管理性が悪化するといった問題が生じていた。
【０００５】
また、特許文献１記載のものでは、保守用位置スイッチの取付位置（高さ）が既設の位置スイッチの一部と重なる場合に、保守用位置スイッチを正確な場所に取り付けることができないという問題も生じていた。
【０００６】
この発明は、上述のような課題を解決するためになされたもので、その目的は、既設の位置スイッチの設置位置に関らず任意の位置に取り付けることができるとともに、その種類を削減することができるエレベータの位置検出装置及びその位置検出装置の取付方法を提供することである。
【課題を解決するための手段】
【０００７】
この発明に係るエレベータの位置検出装置は、昇降路の終端階の固定体に設けられた位置スイッチケースと、この位置スイッチケースに設けられ、エレベータのかごに設けられたカムに係合してかごの位置を検出する第１位置スイッチと、位置スイッチケースに設けられた取付用ケースと、この取付用ケースに設けられ、第１位置スイッチの一側に隣接して配置されるとともに、カムに係合してかごの位置を検出する第２位置スイッチと、を備え、第２位置スイッチの、カムに係合する係合子の位置を水平方向に調整自在に構成したものである。
【０００８】
また、この発明に係るエレベータの位置検出装置の取付方法は、エレベータの保守点検時に、昇降路終端階に予め設けられた位置スイッチケースに取付用ケースを取り付けるステップと、位置スイッチケースに予め設けられた第１位置スイッチの一側に隣接するように、取付用ケースに第２位置スイッチを取り付けるステップと、第２位置スイッチの係合子が第１位置スイッチに係合するカムに係合するように、第２位置スイッチの係合子を支持する軸を伸縮させて第２位置スイッチの係合子の位置を水平方向に調整するステップと、を備えたものである。
【発明の効果】
【０００９】
この発明は、昇降路の終端階の固定体に設けられた位置スイッチケースと、この位置スイッチケースに設けられ、エレベータのかごに設けられたカムに係合してかごの位置を検出する第１位置スイッチと、位置スイッチケースに設けられた取付用ケースと、この取付用ケースに設けられ、第１位置スイッチの一側に隣接して配置されるとともに、カムに係合してかごの位置を検出する第２位置スイッチと、を備え、第２位置スイッチの、カムに係合する係合子の位置を水平方向に調整自在に構成したことで、既設の位置スイッチの設置位置に関らず任意の位置に取り付けることができるとともに、その種類を削減することができる。
【発明を実施するための最良の形態】
【００１０】
この発明をより詳細に説明するため、添付の図面に従ってこれを説明する。なお、各図中、同一又は相当する部分には同一の符号を付しており、その重複説明は適宜に簡略化ないし省略する。
【００１１】
実施の形態１．
図１はこの発明の実施の形態１におけるエレベータの位置検出装置の側面図、図２はその正面図である。図１及び図２において、１はエレベータ昇降路２内を昇降するかご、３はかご１の側方に突設された取付腕４を介して設けられたカム、５はかご１を間に挟んで互いに対向するように昇降路内に立設され、かご１の昇降方向を案内するかご用ガイドレール、６はかご用ガイドレール５の上端部背面にレールクリップ（図示せず）等を介して取り付けられ、その先端部がかご用ガイドレール５の一側に突出するように配置された取付腕、７は取付腕６の先端部に下方に向かって垂設されることによって、昇降路２の上部終端階の固定体であるかご用ガイドレール５に設けられ、かご１の側方に配置された位置スイッチケース、８及び９は、かご１に設けられたカム３に係合することによって、かご１の位置を検出し、このかご１の行き過ぎを防止する複数の位置スイッチである。なお、昇降路２の下部終端階においても、取付腕及び位置スイッチケースを介して、複数の位置スイッチがかご用ガイドレール５に設けられている。
【００１２】
ここで、上記位置スイッチ８及び９は、本体１０、この本体１０に所定角度内回動自在に設けられた腕部１１、この腕部１１の先端部に設けられた軸１２、この軸１２に回動自在に設けられた円盤状のローラ１３から構成される。なお、一方の位置スイッチ９の軸１２ａは伸縮自在に構成されており、ローラ１３の位置が水平方向に調整自在に構成されている。
【００１３】
また、１４は位置スイッチケース７の側面に設けられ、所定の高さにおいて位置スイッチケース７に並設された取付用ケース、１５は取付用ケース１４を位置スイッチケース７の側面に締め付けて固定する固定金具、１６は固定金具１５を取付用ケース１４に締結固定する取付ネジである。
【００１４】
そして、位置スイッチ８（第１位置スイッチ）は、所定の間隔を有してかご１の昇降方向に略一直線状となるように、位置スイッチケース７に複数並んで設けられている。そして、位置スイッチ８の検出子となるローラ１３がかご１に設けられたカム３に係合して一側に付勢されることによってかご１の位置を検出し、エレベータの通常運転時におけるかご１の行き過ぎを防止する。
【００１５】
一方、位置スイッチ９（第２位置スイッチ）は、上記位置スイッチ８の一側に隣接して配置されるように、取付用ケース１４に設けられている。そして、位置スイッチ９の軸１２ａが位置スイッチケース７側に伸長されて、ローラ１３がかご１の昇降時にカム３に係合する位置に配置されている。なお、位置スイッチ９は、エレベータ保守点検時におけるかご１の停止位置に応じて取り付けられるものであり、その取付位置は、エレベータのかご１の寸法、昇降路２内の各機器類のレイアウト、工事の仕様等によって決定される。そして、エレベータの保守点検時におけるかご１の昇降によって、位置スイッチ９の検出子となるローラ１３が上記カム３に係合して付勢されることにより、かご１の行き過ぎを検出し、このかご１の停止等の制御が実施される。
【００１６】
次に、上記位置検出装置の取付方法について説明する。
エレベータの保守点検時、保守作業員は、先ず、固定金具１５及び取付ネジ１６を使用して、昇降路２の終端階に予め設けられた位置スイッチケース７に、取付用ケース１４を取り付ける。次に、位置スイッチケース７に予め設けられた位置スイッチ８の一側に隣接するように、上記取付用ケース１４に位置スイッチ９を取り付ける。なお、この位置スイッチ９の取付位置は、エレベータのかご１の寸法、昇降路２内の各機器類のレイアウト、実施される工事の仕様等に合わせて設定されるものである。そして、位置スイッチ９のローラ１３が、かご１の昇降時にカム３に係合するように、軸１２を伸縮させて位置スイッチ９のローラ１３の位置を水平方向に調整する。なお、エレベータの保守点検終了後、取付用ケース１４と位置スイッチ９とは、位置スイッチケース７から取り外されて、保守点検前の状態に戻される。
【００１７】
かかる構成を有することにより、既設の位置スイッチ８の配置に関らず、保守用の位置スイッチ９を任意の高さに取り付け、複数の動作点を構成することが可能となる。即ち、保守作業時に取り付ける位置スイッチ９の軸１２ａが伸縮自在に構成されているため、位置スイッチ９を既設の位置スイッチ８と一直線状に配置しなくても、ローラ１３をカム３との係合位置まで水平移動させることができ、位置スイッチ９の設置高さが、図１及び図２に示すように既存の位置スイッチ８の一部と重なり合う場合でも、容易に対応することができる。なお、かかる位置検出装置は、昇降路２内に多くのエレベータ機器類が設置された機械室レスエレベータ装置に特に有効である。
【００１８】
また、取付用ケース１４を位置スイッチケース７の任意の高さに取り付けることができ、さらに保守点検終了後には取り外すこともできるため、従来のように位置スイッチの取付位置に応じて複数の製品展開をする必要もなくなり、位置スイッチの生産性及び管理性を向上させることもできる。
【００１９】
実施の形態２．
図３はこの発明の実施の形態２におけるエレベータの位置検出装置の正面図である。図３において、８は実施の形態１と同様の複数の位置スイッチを示しており、この位置スイッチ８（第１位置スイッチ）は、検出子となるローラ１３がかご１に設けられたカム３に係合して一側に付勢されることによってかご１の位置を検出し、エレベータ通常運転時におけるかご１の行き過ぎを防止する。また、位置スイッチケース７の側面には、所定の高さに固定金具１５及び取付ネジ１６を介して取付用ケース１４が設けられており、この取付用ケース１４に、位置スイッチ８と同様の構成を有する位置スイッチ１７（第２位置スイッチ）が設けられている。
【００２０】
なお、上記位置スイッチ１７は、エレベータ保守点検時におけるかご１の停止位置に応じて取り付けられるものであり、その取付位置は、エレベータのかご１の寸法、昇降路２内の各機器類のレイアウト、工事の仕様等によって決定される。図３においては、位置スイッチ１７の一部が、位置スイッチケース７に設けられた位置スイッチ８と同じ高さとなるように配置されている。そして、エレベータの保守点検時におけるかご１の昇降によって、位置スイッチ１７の検出子となるローラ１３が後述するカム１８ｂに係合して一側に付勢されることにより、かご１の行き過ぎを検出して、かご１の停止等の制御が実施される。
【００２１】
次に、かご１の側方に設けられ、かご１の昇降によって位置スイッチ８及び１７の各ローラ１３に係合するカムについて説明する。図４はこの発明の実施の形態２におけるカムの詳細図である。図４において、かご１に設けられたカムは、実施の形態１と同様の構成を有する既設の第１カム１８ａと、この第１カム１８ａの側面に並設された第２カム１８ｂとから構成される。ここで、上記第１カム１８ａは、かご１の側方に突設された取付腕４を介して設けられ、かご１が昇降することによって、位置スイッチ８の各ローラ１３に係合するように配置されている。
【００２２】
一方、上記第２カム１８ｂは、第１カム１８ａに隣接して設けられ、かご１が昇降することによって、位置スイッチ１７のローラ１３に係合するように配置されている。なお、第２カム１８ｂは、エレベータ保守点検時に上記位置スイッチ１７とともに取り付けられるものであり、その配置は、位置スイッチ１７の取付位置に応じて決定される。
【００２３】
次に、上記位置検出装置の取付方法について説明する。
エレベータの保守点検時、保守作業員は、先ず、固定金具１５及び取付ネジ１６を使用して、昇降路２の終端階に予め設けられた位置スイッチケース７に取付用ケース１４を取り付ける。次に、位置スイッチケース７に予め設けられた位置スイッチ８の一側に隣接するように、上記取付用ケース１４に位置スイッチ１７を取り付ける。なお、この位置スイッチ１７の取付位置は、エレベータのかご１の寸法、昇降路２内の各機器類のレイアウト、実施される工事の仕様等に合わせて設定されるものである。その後、第２カム１８ｂがかご１の昇降によって位置スイッチ１７のローラ１３に係合するように、かご１に予め設けられた第１カム１８ａに第２カム１８ｂを取り付ける。なお、エレベータの保守点検終了後、取付用ケース１４と位置スイッチ１７とは、位置スイッチケース７から取り外されて、保守点検前の状態に戻される。
【００２４】
かかる構成を有することにより、既設の位置スイッチ８の配置に関らず、保守用の位置スイッチ１７を任意の高さに取り付け、複数の動作点を構成することが可能となる。また、位置スイッチ１７のローラ１３が既設のカム１８ａに係合するように位置スイッチ１７を配置することができない場合でも、容易に対応することが可能となる。その他は、実施の形態１と同様の構成及び効果を有する。
【００２５】
なお、保守用の位置スイッチ１７の軸１２を、実施の形態１における位置スイッチ９のように伸縮自在に構成して、ローラ１３を水平方向に移動自在に構成しても良い。かかる構成を有することにより、保守作業時に設置する位置スイッチ１７と第２カム１８ｂとの取り付けを容易にして、作業性の向上を図ることも可能となる。
【図面の簡単な説明】
【００２６】
【図１】この発明の実施の形態１におけるエレベータの位置検出装置の側面図である。
【図２】この発明の実施の形態１におけるエレベータの位置検出装置の正面図である。
【図３】この発明の実施の形態２におけるエレベータの位置検出装置の正面図である。
【図４】この発明の実施の形態２におけるカムの詳細図である。
【符号の説明】
【００２７】
１  かご
２  昇降路
３  カム
４、６  取付腕
５  かご用ガイドレール
７  位置スイッチケース
８、９、１７  位置スイッチ
１０  本体
１１  腕部
１２、１２ａ  軸
１３  ローラ
１４  取付用ケース
１５  固定金具
１６  取付ネジ
１８ａ  第１カム
１８ｂ  第２カム
【図１】
2007131363.tif 000003
【図２】
2007131363.tif 000004
【図３】
2007131363.tif 000005
【図４】
2007131363.tif 000006